(57)【要約】【課題】廻り階段の施工に際し、完全プレカット材のみによって施工することができ、極めて効率よく、短時間で廻り階段を施工することができる廻り階段の施工方法、及び、その方法に用いられる縦ささら材を提供する。【解決手段】縦長形状であって、平面形状がＬ字型となるように形成され、出隅部１１及び入隅部１２から階下側へ向かって延在する階下側部１３と、階上側へ向かって延在する階上側部１４とによって構成され、階下側部１３の外側表面に、中段の廻り段板の内側端部を出隅部１１側から階下側端縁１５の方向へ進入させて支持できる第一切欠溝１３ａが形成され、階上側部１４の外側表面に、上段の廻り段板の内側端部を階上側端縁１６側から出隅部１１の方向へ進入させて支持することができる第二切欠溝１４ａが、階下側部１３の第一切欠溝１３ａから階段一段分上方の高さの位置に形成されている。【選択図】図１
2020200682.tif 000002
【特許請求の範囲】
【請求項１】
少なくとも階段三段分の高さ寸法を有する縦長形状であって、平面形状及び水平断面形状がＬ字型となるように形成され、出隅部及び入隅部から階下側へ向かって延在する階下側部と、階上側へ向かって延在する階上側部とによって構成され、
階下側部の外側表面に、中段の廻り段板の厚さ寸法に対応した高さ寸法を有し、中段の廻り段板の内側端部を、出隅部側から階下側端縁の方向へ進入させて支持することができる第一切欠溝が形成され、
階上側部の外側表面に、上段の廻り段板の厚さ寸法に対応した高さ寸法を有し、上段の廻り段板の内側端部を、階上側端縁側から出隅部の方向へ進入させて支持することができる第二切欠溝が、階下側部の第一切欠溝から階段一段分上方の高さの位置に形成されていることを特徴とする廻り階段用の縦ささら材。
【請求項２】
階下側部の第一切欠溝の下方側に、中段の廻り段板の下側の蹴込み板の内側端部を固定するための第一垂直段部が形成され、
階上側部の第二切欠溝の下方側に、上段の廻り段板の下側の蹴込み板の内側端部を固定するための第二垂直段部が形成されていることを特徴とする、請求項１に記載の廻り階段用の縦ささら材。
【請求項３】
階上側部の階上側端縁側に、上段の廻り段板の一段上の直段板の段鼻部を支持するとともに、内側上部直側板の下部と係合させるための切欠段部が、階上側部の第二切欠溝から階段一段分上方の高さの位置に形成されていることを特徴とする、請求項１又は請求項２に記載の廻り階段用の縦ささら材。
【請求項４】
請求項１〜３のいずれかに記載の廻り階段用の縦ささら材と、内側上部直側板と、内側下部直側板と、外側上部直側板と、外側下部直側板と、上部廻り雛側板と、下部廻り雛側板と、直段板と、三段の廻り段板とを使用して、廻り階段を施工する方法であって、
内側上部直側板、内側下部直側板、外側上部直側板、及び、外側下部直側板として、表面に、直段板の端部を嵌合させて支持するための横溝が形成されているものを使用し、
上部廻り雛側板、及び、下部廻り雛側板として、階段一段分の高低差を有する上段側の水平天端面と下段側の水平天端面を有するものを使用し、
まず、縦ささら材を階段室の壁面の出隅に取り付け、
縦ささら材の取付後に、内側上部直側板を上段框と縦ささら材との間の壁面に、また、内側下部直側板を下階の床面と縦ささら材との間の壁面に取り付けるとともに、上部廻り雛側板の下段側の水平天端面、及び、下部廻り雛側板の上段側の水平天端面が、縦ささら材の階下側部の第一切欠溝の下側の水平段部と同じ高さとなる位置に、上部廻り雛側板、及び、下部廻り雛側板を取り付け、
上部廻り雛側板及び下部廻り雛側板の取付後に、外側上部直側板を上段框と上部廻り雛側板との間の壁面に、また、内側下部直側板を下階の床面と下部廻り雛側板との間の壁面に取り付けるとともに、三段の廻り段板を取り付け、
外側上部直側板及び外側下部直側板の取付後に、両端部を前記横溝内に嵌合させて直段板を取り付けることを特徴とし、
三段の廻り段板を取り付ける際、下段の廻り段板の内側端部を、内側下部直側板の上端部、又は、縦ささら材の下端部において支持させるとともに、下段の廻り段板の外側端部を、下部廻り雛側板の下段側の水平天端面の上に載置して支持させ、中段の廻り段板の内側端部を、縦ささら材の第一切欠溝内に嵌合して支持させるとともに、中段の廻り段板の外側端部を、上部廻り雛側板の下段側の水平天端面と、下部廻り雛側板の上段側の水平天端面の上に載置して支持させ、上段の廻り段板の内側端部を、縦ささら材の第二切欠溝内に嵌合して支持させるとともに、上段の廻り段板の外側端部を、上部廻り雛側板の上段側の水平天端面の上に載置して支持させることを特徴とする廻り階段の施工方法。
【請求項５】
縦ささら材の取付位置を、上階のフロアレベルを基準として寸法を追い出して決定することを特徴とする、請求項４に記載の廻り階段の施工方法。
【請求項６】
三段の廻り段板は、それらの内側端部が、設計通りの位置において支持されている場合において、各外側端部と階段室の壁面との間に、３〜１０ｍｍの範囲内の隙間が形成されるような外形寸法に設定されていることを特徴とする、請求項４又は請求項５に記載の廻り階段の施工方法。
【請求項７】
三段の廻り段板の外側端部と壁面との間の隙間が隠れるように、三段の廻り段板の外側端部の上に、巾木を取り付けることを特徴とする、請求項６に記載の廻り階段の施工方法。
【発明の詳細な説明】
【技術分野】
【０００１】
本発明は、木造住宅等の廻り階段用の側板（主として段板の両端部を固定するために、階段室の壁面に取り付けられる板）のうち、内側下部直側板と内側上部直側板との間に配置される縦長の側板（縦ささら材）、及び、この縦ささら材を用いた廻り階段の施行方法に関する。
【背景技術】
【０００２】
木造住宅（一戸建て、或いは、集合住宅等）において施工される廻り階段は、図６（従来の一般的な木造住宅における廻り階段の平面図）に示すように、段板（直段板６１、廻り段板５８〜６０）と、これらの段板を支持する側板（内側上部直側板５２、内側下部直側板５３、外側上部直側板５４、外側下部直側板５５、上部廻り側板５６、及び、下部廻り側板５７）と、蹴込み板６２とによって構成されている。
【０００３】
廻り階段を構成する段板や側板等の材料は、従来は現場において加工されていたが、近年では、作業効率の向上、施工時間の短縮を図るべく、工場にて事前に細かな加工を行ったプレカット材を現場に搬入して、必要に応じて（設計に合わせて）プレカット材を裁断して使用するという方法が採用されている。
【０００４】
図７は、従来の側板のプレカット材（外側直側板用のプレカット材７１、及び、廻り側板用のプレカット材７２）の一例を示す図である。図示されているように、これらのプレカット材７１，７２には、図６に示す直段板６１、或いは、廻り段板５８〜６０の端部を嵌合させるための横溝６３、及び、蹴込み板６２の端部を嵌合させるための縦溝６４が、板厚寸法の約１／３の深さで形成されている。そして、設計に応じて、例えば図７に示す一点鎖線、或いは、破線の位置等で適宜裁断して、図６に示すような直側板５２〜５５、及び、廻り側板５６，５７を取って使用される。
【０００５】
尚、図７に示すようなプレカット材７１，７２を用いて廻り階段を施工する場合、図６に示す廻り段板５８〜６０のうち、中段の廻り段板５９、及び、上段の廻り段板６０の内側端部を、内側下部直側板５３、或いは、内側上部直側板５２によって支持させることは構造上困難であり、このため、内側上部直側板５２と内側下部直側板５３との間に、縦ささら材が配置されることになる。
【０００６】
但し、施工時において、階段室の壁面の出隅５１（図６参照）の位置が、設計上の位置からいずれかの方向へずれてしまうことあるがという問題（施工上の誤差の問題）があり、そのような誤差が生じた場合には、縦ささら材を、現場の寸法に合わせて一から製作し、或いは、適宜加工して寸法を修正する必要があり、作業者において熟練した技能が求められるほか、施工時間が大幅に増加してしまうという問題がある。
【０００７】
尚、特許文献１（特開２０１５−２０９６９３号公報）には、上記のような施工上の誤差が生じた場合であっても、下側部材と上側部材との相対位置関係を調整することにより、そのようなギャップを無理なく収めることができる縦ささら材が開示されている。
【先行技術文献】
【特許文献】
【０００８】
【特許文献１】特開２０１５−２０９６９３号公報
【発明の概要】
【発明が解決しようとする課題】
【０００９】
しかしながら、特許文献１に開示されている縦ささら材を使用する場合においても、誤差に対応するための調製作業に手間がかかり、また、作業者においてある程度の技能が求められることになる。このため、より一層簡単に施工することができ、施工時間をより一層短縮できるような廻り階段の施工方法、及び、それを実現するための構成材料（完全プレカットの縦ささら材、及び、側板等）が求められている。
【００１０】
本発明は、このような従来技術における問題を解決しようとするものであって、廻り階段の施工に際し、完全プレカット材（現場において加工する必要がない材料）のみによって施工することができ、極めて効率よく、短時間で廻り階段を施工することができる廻り階段の施工方法、及び、その方法に用いられる縦ささら材を提供することを目的とする。
【課題を解決するための手段】
【００１１】
本発明に係る廻り階段用の縦ささら材は、少なくとも階段三段分の高さ寸法を有する縦長形状であって、平面形状及び水平断面形状がＬ字型となるように形成され、出隅部及び入隅部から階下側へ向かって延在する階下側部と、階上側へ向かって延在する階上側部とによって構成され、階下側部の外側表面に、中段の廻り段板の厚さ寸法に対応した高さ寸法を有し、中段の廻り段板の内側端部を、出隅部側から階下側端縁の方向へ進入させて支持することができる第一切欠溝が形成され、階上側部の外側表面に、上段の廻り段板の厚さ寸法に対応した高さ寸法を有し、上段の廻り段板の内側端部を、階上側端縁側から出隅部の方向へ進入させて支持することができる第二切欠溝が、階下側部の第一切欠溝から階段一段分上方の高さの位置に形成されていることを特徴としている。
【００１２】
尚、この廻り階段用の縦ささら材においては、階下側部の第一切欠溝の下方側に、中段の廻り段板の下側の蹴込み板の内側端部を固定するための第一垂直段部が形成され、階上側部の第二切欠溝の下方側に、上段の廻り段板の下側の蹴込み板の内側端部を固定するための第二垂直段部が形成されていることが好ましく、また、階上側部の階上側端縁側に、上段の廻り段板の一段上の直段板の段鼻部を支持するとともに、内側上部直側板の下部と係合させるための切欠段部が、階上側部の第二切欠溝から階段一段分上方の高さの位置に形成されていることが好ましい。
【００１３】
また、本発明に係る廻り階段の施工方法は、上記のような廻り階段用の縦ささら材と、内側上部直側板と、内側下部直側板と、外側上部直側板と、外側下部直側板と、上部廻り雛側板と、下部廻り雛側板と、直段板と、三段の廻り段板とを使用して廻り階段を施工する方法であって、内側上部直側板、内側下部直側板、外側上部直側板、及び、外側下部直側板として、表面に、直段板の端部を嵌合させて支持するための横溝が形成されているものを使用し、上部廻り雛側板、及び、下部廻り雛側板として、階段一段分の高低差を有する上段側の水平天端面と下段側の水平天端面を有するものを使用し、まず、縦ささら材を階段室の壁面の出隅に取り付け、縦ささら材の取付後に、内側上部直側板を上段框と縦ささら材との間の壁面に、また、内側下部直側板を下階の床面と縦ささら材との間の壁面に取り付けるとともに、上部廻り雛側板の下段側の水平天端面、及び、下部廻り雛側板の上段側の水平天端面が、縦ささら材の階下側部の第一切欠溝の下側の水平段部と同じ高さとなる位置に、上部廻り雛側板、及び、下部廻り雛側板を取り付け、上部廻り雛側板及び下部廻り雛側板の取付後に、外側上部直側板を上段框と上部廻り雛側板との間の壁面に、また、内側下部直側板を下階の床面と下部廻り雛側板との間の壁面に取り付けるとともに、三段の廻り段板を取り付け、外側上部直側板及び外側下部直側板の取付後に、両端部を前記横溝内に嵌合させて直段板を取り付けることを特徴とし、三段の廻り段板を取り付ける際、下段の廻り段板の内側端部を、内側下部直側板の上端部、又は、縦ささら材の下端部において支持させるとともに、下段の廻り段板の外側端部を、下部廻り雛側板の下段側の水平天端面の上に載置して支持させ、中段の廻り段板の内側端部を、縦ささら材の第一切欠溝内に嵌合して支持させるとともに、中段の廻り段板の外側端部を、上部廻り雛側板の下段側の水平天端面と、下部廻り雛側板の上段側の水平天端面の上に載置して支持させ、上段の廻り段板の内側端部を、縦ささら材の第二切欠溝内に嵌合して支持させるとともに、上段の廻り段板の外側端部を、上部廻り雛側板の上段側の水平天端面の上に載置して支持させることを特徴としている。
【００１４】
尚、この廻り階段の施工方法においては、縦ささら材の取付位置を、上階のフロアレベルを基準として寸法を追い出して決定することが好ましく、また、三段の廻り段板が、その内側端部が設計通りの位置において支持されている場合において、各外側端部と階段室の壁面との間に、３〜１０ｍｍの範囲内の隙間が形成されるような外形寸法に設定されていることが好ましい。この場合、三段の廻り段板の外側端部と壁面との間の隙間が隠れるように、三段の廻り段板の外側端部の上に、巾木を取り付けることが好ましい。
【発明の効果】
【００１５】
本発明に係る廻り階段の施工方法によれば、縦ささら材、側板、廻り段板、及び、直段板として、完全プレカット材のみを使用して（現場における修正加工を一切施すことなく）、極めて簡単な作業のみで廻り階段を施工することができ、しかも、階段室の壁面の出隅の位置が、設計上の位置から多少ずれてしまった場合であっても、誤差に対応するための特別な調整作業を行わずに、問題なく収めることができる。その結果、熟練者以外の者であっても簡単に施工することができ、従来の施工方法と比較して、施工時間を大幅に短縮することができる。
【００１６】
また、本発明に係る廻り階段用の縦ささら材を用いれば、上記のような廻り階段の施工方法を好適に実施することができる。
【図面の簡単な説明】
【００１７】
【図１】図１は、本発明の第一実施形態に係る廻り階段用縦ささら材１（右廻り階段用）の斜視図である。
【図２】図２は、図１に示す廻り階段用縦ささら材１の平面図である。
【図３】図３は、本発明の第二実施形態に係る廻り階段の施工方法において使用される側板（内側上部直側板２、内側下部直側板３、外側上部直側板４、外側下部直側板５、上部廻り雛側板６、及び、下部廻り雛側板７）の側面図である。
【図４】図４は、本発明の第二実施形態に係る廻り階段の施工方法の説明図であって、図１に示す縦ささら材１、及び、図３に示す側板を、階段室の壁面に固定した状態を示す斜視図である。
【図５】図５は、本発明の第二実施形態に係る廻り階段の施工方法の説明図であって、縦ささら材１、廻り雛側板６，７、及び、壁面３３と、中段の廻り段板９との配置関係を示す図である。
【図６】図６は、従来の一般的な木造住宅における廻り階段の平面図である。
【図７】図７は、従来の側板のプレカット材（外側直側板用のプレカット材７１、及び、廻り側板用のプレカット材７２）の一例を示す図である。
【発明を実施するための形態】
【００１８】
本発明は、「廻り階段用縦ささら材」（第一実施形態）として実施することができるほか、この廻り階段用縦ささら材を用いた「廻り階段の施工方法」（第二実施形態）として実施することができる。以下、添付図面に沿って、本発明の各実施形態について説明する。
【００１９】
（第一実施形態：廻り階段用の縦ささら材）
図１は、本発明の第一実施形態に係る廻り階段用（三段の廻り段板を使用する右廻り階段用）の縦ささら材１の斜視図、図２はその平面図である。この縦ささら材１は、少なくとも階段三段分の高さ寸法を有する縦長形状であって、平面形状及び水平断面形状がＬ字型となるように形成されており、出隅部１１及び入隅部１２から階下側（図２において右側）へ向かって延在する階下側部１３と、階上側（図２において上方側）へ向かって延在する階上側部１４とによって構成されている。
【００２０】
階下側部１３の外側表面には、縦ささら材１の下端部から階段一段分上方の高さの位置に、第一切欠溝１３ａ（図１（１）において符号１３ａとともに斜線で示す部分）が形成されている。この第一切欠溝１３ａは、出隅部１１側から階下側端縁１５の方向へ向かって所定の位置まで、また、所定の深さ（階下側部１３の外側表面から板厚寸法の約１／３の深さ）まで形成されている。そして、この第一切欠溝１３ａは、後述する中段の廻り段板の厚さ寸法に対応した高さ寸法を有しており、中段の廻り段板の内側端部を、出隅部１１側から階下側端縁１５の方向へ進入させることができるようになっている。
【００２１】
また、この第一切欠溝１３ａは、中断の廻り段板の鼻の出寸法に対応した寸法の水平段部１３ｂを下側に有しており、中段の廻り段板の内側端部を最奥部１３ｃまで進入させた際に、その段鼻部を支持できるように構成されている。更に、第一切欠溝１３ａ（水平段部１３ｂの後端部）の下方側には、中段の廻り段板の下側の蹴込み板の内側端部を固定するための第一垂直段部１３ｄが形成されている。
【００２２】
一方、階上側部１４の外側表面には、縦ささら材１の下端部から階段二段分上方（第一切欠溝１３ａから階段一段分上方）の高さの位置に、第二切欠溝１４ａ（図１（１）において符号１４ａとともに斜線で示す部分）が形成されている。この第二切欠溝１４ａは、階上側端縁１６側から出隅部１１の方向へ向かって所定の位置まで、また、所定の深さ（階上側部１４の外側表面から板厚寸法の約１／３の深さ）まで形成されている。そして、この第二切欠溝１４ａは、後述する上段の廻り段板の厚さ寸法に対応した高さ寸法を有しており、上段の廻り段板の内側端部を、階上側端縁１６側から出隅部１１の方向へ進入させることができるようになっている。
【００２３】
また、この第二切欠溝１４ａは、上段の廻り段板の鼻の出寸法に対応した寸法の水平段部１４ｂを下側に有しており、上段の廻り段板の内側端部を最奥部１４ｃまで進入させた際に、その段鼻部を支持できるように構成されている。更に、第二切欠溝１４ａ（水平段部１４ｂの後端部）の下方側には、上段の廻り段板の下側の蹴込み板の内側端部を固定するための第二垂直段部１４ｄが形成されている。
【００２４】
階上側部１４の階上側端縁１６側には、縦ささら材１の下端部から階段三段分上方（第二切欠溝１４ａから階段一段分上方）の高さの位置に、上段の廻り段板の一段上の直段板の段鼻部を支持するとともに、後述する内側上部直側板の下部と係合させるための切欠段部１７が形成されている。また、階下側部１３、及び、階上側部１４には、外側表面から所定の深さ（板厚寸法の約１／２の深さ）まで穿設されたビス孔１８が形成されている。
【００２５】
本実施形態の縦ささら材１は、一本の木製の角材をカットし、削り出して製造することもできるが、図１（２）に示すような形状にそれぞれ加工した第一の板材Ａと第二の板材Ｂとを、Ｌ字型に接合することによって製造することもできる。尚、上記実施形態においては、右廻り階段用の縦ささら材１について説明したが、図１に示したものと鏡面対称的な形状とすることにより、左廻り階段用の縦ささら材として構成することができる。
【００２６】
（第二実施形態：廻り階段の施工方法）
図３は、本発明の第二実施形態に係る廻り階段の施工方法において使用される側板の側面図であり、図４は、本発明の第二実施形態に係る廻り階段の施工方法の説明図である。ここでは、本発明に係る廻り階段の施工方法の一例として、図１に示す縦ささら材１、図３に示す側板（内側上部直側板２、内側下部直側板３、外側上部直側板４、外側下部直側板５、上部廻り雛側板６、及び、下部廻り雛側板７）、及び、三段の廻り段板等を使用して、右廻り階段（階下側から見て階上側が右方向へ廻る階段）を施工する方法を説明する。
【００２７】
まず、図１及び図２に示す縦ささら材１を、入隅部１２が壁側となる向きで、階段室の壁面の出隅３１（階段室コーナーの内側の角部）（図２及び図４参照）に取り付ける。尚、縦ささら材１の取付位置は、上階のフロアレベルを基準として寸法を追い出して決定する。縦ささら材１の取り付け及び固定は、裏面に塗布した接着剤、及び、ビス孔１８（図１参照）内に打ち込んだビス（図示せず）によって行う。
【００２８】
次に、階段室の壁面に対し、図３に示す六枚の側板（内側上部直側板２、内側下部直側板３、外側上部直側板４、外側下部直側板５、上部廻り雛側板６、及び、下部廻り雛側板７）を取り付ける。尚、内側上部直側板２、内側下部直側板３、外側上部直側板４、及び、外側下部直側板５の各表面（階段室の壁面に取り付けた際に、室内側に露呈する面）には、直段板の端部を嵌合させて支持するための横溝２１、及び、蹴込み板の端部を嵌合させて保持するための縦溝２２が、板厚寸法の約１／３の深さでそれぞれ形成されている。また、内側下部直側板３の上端部の表面には、下段の廻り段板の内側端部を嵌合させて支持するための横溝２３が、板厚寸法の約１／３の深さで形成されている。
【００２９】
一方、上部廻り雛側板６は、階段一段分の高低差を有する二つの水平天端面（上段側の水平天端面６ａ、及び、下段側の水平天端面６ｂ）を有しており、また、下部廻り雛側板７も、同様に、階段一段分の高低差を有する二つの水平天端面（上段側の水平天端面７ａ、及び、下段側の水平天端面７ｂ）を有しており、それらの水平天端面６ａ，６ｂ，７ａ，７ｂの上に、各廻り段板の外側端部を載置して支持する構造となっている。このため、上部廻り雛側板６、及び、下部廻り雛側板７の表面には、直側板２〜５に形成されているような横溝は、形成されていない。
【００３０】
尚、本実施形態においては、直側板２〜５、及び、廻り雛側板６，７は、板厚寸法がいずれも３６ｍｍ（３０〜４０ｍｍの範囲とすることが好ましい）に設定されている。
【００３１】
図３に示す六枚の側板のうち、まず最初に、内側上部直側板２を、上階の框（上段框）（図示せず）と縦ささら材１との間の壁面に取り付ける。尚、図３に示すように、内側上部直側板２の下部には、下向き段部２ａが形成されており、この下向き段部２ａを、縦ささら材１の切欠段部１７（図１参照）と係合させて、内側上部直側板２の下部と縦ささら材１とを連結する（図４参照）。
【００３２】
次に、下階の床面（図示せず）と縦ささら材１との間の壁面に、内側下部直側板３を取り付ける。尚、内側下部直側板３の上部には、図３に示すように上向き段部３ａが形成されており、この上向き段部３ａを、縦ささら材１の下端部に当接させて、内側下部直側板３の上部と縦ささら材１とを連結する（図４参照）。
【００３３】
尚、本実施形態においては、上述の通り内側上部直側板２を取り付けた後で、内側下部直側板３を取り付けているが、順番を入れ替えて、内側下部直側板３を先に取り付けてもよく、また、複数の作業者により、それらを同時に取り付けてもよい。
【００３４】
続いて、縦ささら材１の高さ位置を基準として、上部廻り雛側板６、及び、下部廻り雛側板７を、反対側の壁面（内側上部直側板２、及び、内側下部直側板３を取り付けた壁面とそれぞれ対向する壁面）に対して取り付ける。
【００３５】
具体的には、上部廻り雛側板６の下段側の水平天端面６ｂが、図４に示すように、縦ささら材１の階下側部１３の水平段部１３ｂと同じ高さとなる位置（及び、上段側の水平天端面６ａが、縦ささら材１の階上側部１４の水平段部１４ｂと同じ高さとなる位置）に、上部廻り雛側板６を取り付ける。
【００３６】
また、下部廻り雛側板７の上段側の水平天端面７ａが、図４に示すように、縦ささら材１の階下側部１３の水平段部１３ｂと同じ高さとなる位置（及び、下段側の水平天端面７ｂが、縦ささら材１の階下側部１３の下端部よりも、段板の厚さ寸法分だけ低い高さとなる位置）に、下部廻り雛側板７を取り付ける。
【００３７】
尚、図３に示すように、上部廻り雛側板６の下部には、上向き段部６ｃが形成され、下部廻り雛側板７の上部には、下向き段部７ｃが形成されており、図４に示すように、これらの上向き段部６ｃと下向き段部７ｃとが、階段室の壁面の入隅３２に当接する位置において、直角に、かつ、上下方向に係合するように、上部廻り雛側板６と下部廻り雛側板７とを連結させる。
【００３８】
本実施形態においては、上述の通り内側上部直側板２及び内側下部直側板３を取り付けた後で、廻り雛側板６，７を取り付けているが、順番を入れ替えて、廻り雛側板６，７を先に取り付けてもよく、また、複数の作業者により、それらを同時に取り付けてもよい。
【００３９】
次に、上階の上段框（図示せず）と上部廻り雛側板６との間の壁面に、外側上部直側板４を取り付け、更に、下階の床面（図示せず）と下部廻り雛側板７との間の壁面に、外側下部直側板５を取り付ける。
【００４０】
そして、縦ささら材１、及び、側板２〜７を利用して、段板（三段の廻り段板、及び、直段板）、及び、蹴込み板を取り付ける。
【００４１】
三段の廻り段板（下段の廻り段板８、中段の廻り段板９、及び、上段の廻り段板１０）は、下段側から順番に取り付ける。具体的には、まず、図４に示すように、下段の廻り段板８の内側端部を、縦ささら材１の下側の位置において、内側下部直側板３の上端部の横溝２３内に嵌合して支持させ、下段の廻り段板８の外側端部を、下部廻り雛側板７の下段側の水平天端面７ｂの上に載置して支持させる。
【００４２】
尚、本実施形態においては、下段の廻り段板８の内側端部が、内側下部直側板３の上端部において支持されているが、下段の廻り段板８の内側端部を嵌合させるための切欠溝が下端部に形成された縦ささら材（図示せず）を用いて、下段の廻り段板８の内側端部を支持させるようにしてもよい。
【００４３】
次に、中段の廻り段板９の内側端部を、縦ささら材１の第一切欠溝１３ａ内に嵌合し、水平段部１３ｂによって支持させ、中段の廻り段板９の外側端部を、上部廻り雛側板６の下段側の水平天端面６ｂと、下部廻り雛側板７の上段側の水平天端面７ａの上に載置して支持させる。また、上段の廻り段板１０の内側端部を、縦ささら材１の第二切欠溝１４ａ内に嵌合し、水平段部１４ｂによって支持させ、上段の廻り段板１０の外側端部を、上部廻り雛側板６の上段側の水平天端面６ａの上に載置して支持させる。更に、これらの廻り段板８〜１０の各段鼻の下側に、縦ささら材１の第一垂直段部１３ｄ、第二垂直段部１４ｄ（図１参照）等を利用して、蹴込み板を取り付けて固定する。
【００４４】
尚、廻り段板８〜１０は、それらの内側端部が、設計通りの位置において第一切欠溝１３ａ、及び、第二切欠溝１４ａ等に適正に嵌合し、支持されている場合において、各外側端部と階段室の壁面との間に、所定幅（本実施形態においては５ｍｍ）（３〜１０ｍｍの範囲とすることが好ましい）の隙間Ｃが形成されるような外形寸法に設定されている。
【００４５】
例えば中段の廻り段板９は、図５に示すように、階段室の壁面の出隅３１、及び、入隅３２が設計通りの位置に形成されている場合において、内側端部９ａを縦ささら材１の第一切欠溝１３ａ内の奥までしっかりと進入させ、適正に嵌合させるとともに、外側端部９ｂ，９ｃを、廻り雛側板６，７の水平天端面６ｂ，７ａの上に載置した場合に、階段室の壁面３３と外側端部９ｂ，９ｃとの間に、それぞれ５ｍｍの隙間Ｃが形成されるような外形寸法に設定されている。下段の廻り段板８、及び、上段の廻り段板１０（図４参照）についても同様である。
【００４６】
従って、階段室の入隅３２に対し、出隅３１の位置が、設計上の位置からいずれかの方向へずれてしまった場合であっても、そのような誤差を好適に収めることができる。例えば、出隅３１の位置が、設計上の位置から廻り雛側板６，７側の方向へずれてしまった場合でも、誤差が５ｍｍ以内であれば、単に隙間Ｃが小さくなるだけで、廻り段板８〜１０の外側端部を廻り雛側板６，７によって問題なく支持させることができ、また、反対方向（廻り雛側板６，７とは反対の方向）へ１０ｍｍずれてしまった場合でも、上述の通り廻り雛側板６，７は、３６ｍｍの板厚寸法を有しているため、十分な幅寸法（上下に重なり合う寸法）（この場合は２０ｍｍ以上となる）で、廻り段板８〜１０の外側端部を廻り雛側板６，７上に載置し、支持させることができる。
【００４７】
尚、廻り段板８〜１０の外側端部と壁面との間の隙間Ｃには、くさび材を打ち込んで、廻り段板８〜１０を縦ささら材１の方向へ押圧し、更に、廻り段板８〜１０の外側端部の上面から下向きに（廻り雛側板６，７内へ）ビスを打ち込んで、廻り段板８〜１０をしっかりと固定する。
【００４８】
直段板（内側上部直側板２と外側上部直側板４との間に支持される段板、並びに、内側下部直側板３と外側下部直側板５との間に支持される段板）（図示せず）は、両端部を、直側板２〜５の各表面に形成されている横溝２１内に嵌合させて取り付け、また、それらの直段板の各段鼻の下側に配置される蹴込み板（図示せず）は、両端部を、直側板２〜５の各表面に形成されている縦溝２２内に嵌合させて取り付ける。
【００４９】
尚、直段板、及び、その下側の蹴込み板は、上段側から順番に、交互に取り付ける。具体的には、まず、最上段の直段板を、上段框から一段下がった位置に取り付け、次に、最上段の直段板の段鼻の下側に蹴込み板を取り付け、その下側に、上から二段目の直段板を取り付け、その下側に蹴込み板を取り付け、この作業を、順次階下側へ向かって繰り返していく。
【００５０】
最後に、廻り段板８〜１０の外側端部と壁面との間の隙間Ｃ、及び、廻り段板８〜１０の外側端部に打ち込んだビスが隠れるように、廻り段板８〜１０の外側端部の上に、巾木（図示せず）を取り付ける。
【００５１】
以上に説明したように、本発明の第二実施形態に係る廻り階段の施工方法によれば、縦ささら材１（図１参照）、側板２〜７（図３参照）、廻り段板８〜１０（図４参照）、及び、直段板（図示せず）として、完全プレカット材のみを使用して（現場における修正加工を一切施すことなく）、極めて簡単な作業のみで廻り階段を施工することができ、しかも、階段室の壁面の出隅３１（図４及び図５参照）の位置が、設計上の位置から多少ずれてしまった場合であっても、誤差に対応するための特別な調整作業を行わずに、問題なく収めることができる。
【００５２】
より詳細には、特許文献１等に開示されている従来の施工方法においては、廻り側板として、外側表面に横溝が形成されたものが使用され、廻り段板の外側端部を当該横溝内に嵌合させて支持する方法が採用されているため、廻り段板の取付位置が、外側（廻り側板の横溝の位置）を基準として決定されることになる。従って、階段室の壁面の出隅の位置が設計上の位置からずれてしまった場合には、廻り側板の横溝内に外側端部を嵌合させた廻り段板の内側端部を支持できる位置に、縦ささら材を配置することにより（つまり、廻り階段の外側を基準として、内側の縦ささら材の取付位置を調整することにより）、誤差を収めることになる。
【００５３】
これに対し本実施形態においては、廻り段板８〜１０の外側端部を支持する廻り側板として、水平天端面６ａ，６ｂ，７ａ，７ｂ上に外側端部を載置して支持する廻り雛側板６，７が使用され、廻り段板８〜１０の取付位置が、内側（縦ささら材１の第一切欠溝１３ａ、第二切欠溝１４ａ、及び、内側下部直側板３の上端部の横溝２３）を基準として決定されることになり、階段室の壁面の出隅の位置が設計上の位置から多少ずれてしまった場合であっても、廻り雛側板６，７の水平天端面６ａ，６ｂ，７ａ，７ｂ上における廻り段板８〜１０の外側端部の載置位置が、設計上の位置から、ずれ量に応じて移動することになるだけで、廻り段板８〜１０の外側端部を問題なく支持させることができる。
【００５４】
従って、誤差に対応するための特別な調整作業を行う必要がなく、その結果、熟練者以外の者であっても簡単に施工することができ、従来の施工方法と比較して、施工時間を大幅に短縮することができる。
【符号の説明】
【００５５】
１：縦ささら材、
２，５２：内側上部直側板、
２ａ：下向き段部、
３，５３：内側下部直側板、
３ａ：上向き段部、
４，５４：外側上部直側板、
５，５５：外側下部直側板、
６：上部廻り雛側板、
６ａ：上段側の水平天端面、
６ｂ：下段側の水平天端面、
６ｃ：上向き段部、
７：下部廻り雛側板、
７ａ：上段側の水平天端面、
７ｂ：下段側の水平天端面、
７ｃ：下向き段部、
８，５８：下段の廻り段板、
９，５９：中段の廻り段板、
９ａ：内側端部、
９ｂ，９ｃ：外側端部、
１０，６０：上段の廻り段板、
１１：出隅部、
１２：入隅部、
１３：階下側部、
１３ａ：第一切欠溝、
１３ｂ：水平段部、
１３ｃ：最奥部、
１３ｄ：第一垂直段部、
１４：階上側部、
１４ａ：第二切欠溝、
１４ｂ：水平段部、
１４ｃ：最奥部、
１４ｄ：第二垂直段部、
１５：階下側端縁、
１６：階上側端縁、
１７：切欠段部、
１８：ビス孔、
２１，６３：横溝（直段板用）、
２２，６４：縦溝、
２３：横溝（廻り段板用）、
３１，５１：出隅、
３２：入隅、
３３：壁面、
５６：上部廻り側板、
５７：下部廻り側板、
６１：直段板、
６２：蹴込み板、
７１，７２：プレカット材
【図１】
2020200682.tif 000003
【図２】
2020200682.tif 000004
【図３】
2020200682.tif 000005
【図４】
2020200682.tif 000006
【図５】
2020200682.tif 000007
【図６】
2020200682.tif 000008
【図７】
2020200682.tif 000009